(57)【特許請求の範囲】
【請求項１】
輸送中に作動させることが可能な照明装置（２）であって、
開閉可能なオブジェクト（４）の外側に配置された第１の光源（６）と、前記開閉可能なオブジェクト（４）の内側に配置された第２の光源（８）と、電気エネルギー貯蔵装置（１０）と、スイッチ装置（１２）と、を備え、
そのスイッチ装置（１２）は、センサユニット（１４）を統合した制御ユニット（１６）を有し、これによって、前記センサユニット（１４）の第１のセンサ手段（１８）がタッチされたとき、及び／または前記センサユニット（１４）の前記第１のセンサ手段（１８）がモーションを検出したときに、第１のスイッチングユニット（２０）は、前記電気エネルギー貯蔵装置（１０）により、前記第１の光源（６）に電気エネルギーが供給可能であるか、または供給される状態であるスイッチ閉状態へ、スイッチ開状態から移行可能であるかまたは移行され、
また、前記センサユニット（１４）は、前記開閉可能なオブジェクト（４）が開いているか閉じているかを少なくとも検出する第２のセンサ手段（２２）を有し、前記第２のセンサ手段（２２）が前記開閉可能なオブジェクト（４）の開いていることを検出したときに、第２のスイッチングユニット（２４）は、前記電気エネルギー貯蔵装置（１０）により、第２の光源（８）に電気エネルギーが供給可能または供給される状態であるスイッチ閉状態へ、スイッチ開状態から移行されることが可能または移行され、
更に、前記制御ユニット（１６）が、前記第２のスイッチングユニット（２４）をスイッチ開状態からスイッチ閉状態に移行させるときに、前記第１のスイッチングユニット（２０）をスイッチ閉状態からスイッチ開状態に移行させる
ことを特徴とする照明装置。
【請求項２】
前記センサユニット（１４）の前記第２のセンサ手段（２２）が、トリガスイッチ及び／またはホールセンサ及び／またはリード接点を備える
請求項１に記載の照明装置（２）。
【請求項３】
前記センサユニット（１４）の前記第２のセンサ手段（２２）が、明るさセンサを含み、
前記制御ユニット（１６）が、明るさセンサが１００ルクス超の照度、好ましくは８０ルクス超の照度、特に好ましくは５０ルクス超の照度、より特に好ましくは４０ルクス超の照度を検出した場合に、前記第２のスイッチングユニット（２４）をスイッチ閉状態からスイッチ開状態に移行させる
請求項１または２に記載の照明装置（２）。
【請求項４】
前記センサユニット（１４）の前記第１のセンサ手段（１８）が、モーションを検出する及び／または前記スイッチ装置（１２）のタッチを検出するためのパイロセンサ及び／または静電容量センサ及び／または超音波センサを備える
請求項１ないし３のいずれかに記載の照明装置（２）。
【請求項５】
前記制御ユニット（１６）が、前記開閉可能なオブジェクト（４）が開かれていることが前記センサユニット（１４）の前記第２のセンサ手段（２２）により検出された後に、５〜６０秒で、好ましくは１０〜４０秒で、特に好ましくは１０〜３０秒で、前記第２のスイッチングユニット（２４）をスイッチ閉状態からスイッチ開状態に戻す構成であり、さらに／または、
前記制御ユニット（１６）が、最後のモーションが前記センサユニット（１４）の前記第１のセンサ手段（１８）により検出された後に、５〜６０秒で、好ましくは１０〜４０秒で、特に好ましくは１０〜３０秒で、前記第１のスイッチングユニット（２０）をスイッチ閉状態からスイッチ開状態に戻す
請求項１ないし４のいずれかに記載の照明装置（２）。
【請求項６】
前記第１の光源（６）及び／または前記第２の光源（８）が、白熱電球、ＬＥＤ、及び／または発光フィルムを備え、好ましくは、白熱電球、ＬＥＤ、及び／または発光フィルムを複数備える
請求項１ないし５のいずれかに記載の照明装置（２）。
【請求項７】
前記制御ユニット（１６）により作動可能な調光器を備え、これによって、前記第１の光源（６）及び／または前記第２の光源（８）へのエネルギー供給を、急激または連続的に、１秒〜９０秒で、好ましくは１０〜６０秒で、ゼロまで下げる
請求項１ないし６のいずれかに記載の照明装置（２）。
【請求項８】
前記開閉可能なオブジェクト（４）が、透明及び／または半透明及び／または不透明の材料を備え、
前記第１の光源（６）及び／または前記第２の光源（８）が、前記開閉可能なオブジェクト（４）の前記材料の範囲内に配置、好ましくはそれにより取り囲まれている
請求項１ないし７のいずれかに記載の照明装置（２）。
【請求項９】
開閉可能なオブジェクト（４）内に配置可能または配置され、少なくとも１つの第１の光源（６）と、電気エネルギー貯蔵装置（１０）と、スイッチ装置（１２）と、を備え、
そのスイッチ装置は、センサユニット（１４）を統合した制御ユニット（１６）を有し、これによって、第１のセンサ手段（１８）がタッチされたとき、及び／または前記第１のセンサ手段がモーションを検出したときに、第１のスイッチングユニット（２０）は、前記電気エネルギー貯蔵装置（１０）により前記第１の光源（６）に電気エネルギーが供給可能または供給される状態であるスイッチ閉状態へ、スイッチ開状態から移行可能または移行され、
前記センサユニット（１４）の前記第１のセンサ手段（１８）は、静電容量式センサを備える
請求項２ないし８のいずれかに記載の照明装置（２）。
【請求項１０】
少なくとも１つの情報を表示するための表示要素を備え、及び／または、前記第１の光源（６）及び／または前記第２の光源（８）が、少なくとも１つの情報を表示するための表示要素を形成する
請求項１ないし９のいずれかに記載の照明装置（２）。
【請求項１１】
前記第１のスイッチングユニット（２０）を介して及び／または前記第２のスイッチングユニット（２４）を介して前記表示要素を前記電気エネルギー貯蔵装置（１０）に接続することが可能であり、及び／または、
前記少なくとも１つの情報が、時刻、日付、及び／または、信号を備える
請求項１０に記載の照明装置（２）。
【請求項１２】
前記表示要素が、視覚的、に知覚可能な情報の表示を備える
請求項１０または１１に記載の照明装置（２）。
【請求項１３】
前記開閉可能なオブジェクト（４）内またはその上に配置可能または配置されたデータ記憶装置を備え、
前記データ記憶装置に、インタフェースユニットを介して、少なくとも１つのデータを転送及び／または保存可能である
請求項１ないし１２のいずれかに記載の照明装置（２）。
【請求項１４】
前記開閉可能なオブジェクト（４）が、薬、支払手段、化粧品、及び／または他の物品のうち、少なくとも１つの物体を入れるためのコンテナ装置を形成する
請求項１ないし１３のいずれかに記載の照明装置（２）。
【発明の詳細な説明】
【技術分野】
【０００１】
本発明は、輸送中に作動させることも可能な照明装置に関する。
これは、開閉可能なオブジェクト内に配置可能なもの、または配置されたものであり、第１の光源と、電気エネルギー貯蔵装置と、スイッチ装置と、を少なくとも備え、スイッチ装置は、センサユニットを統合した制御ユニットを有し、これによって、第１のセンサ手段がタッチされたとき、及び／または第１のセンサ手段がモーションを検出したときに、第１のスイッチングユニットは、電気エネルギー貯蔵装置により第１の光源に電気エネルギーが供給可能であるか、または供給される状態であるスイッチ閉状態へ、スイッチ開状態から移行可能であるか、または移行されるものである。
【背景技術】
【０００２】
このようなタイプのものではない照明装置が、特許文献１で知られている。この照明装置は、開くことができないオブジェクト内に配置されたものである。光源は、モーションによって、または触れることによって、点灯される。これは、例えば、その照明装置がハンドバッグの中に入っている場合に、バッグの中の物品により誤って点灯状態にされ得るという点で不都合であることがわかっていて、このことは、エネルギー貯蔵装置の早い放電につながる。
【０００３】
さらに、該当するタイプではない照明装置が、例えば、携帯用化粧鏡として知られていて、これは、開閉可能なオブジェクトを開いたときに、光源が点灯されるものである。これは、例えば、そのオブジェクトが女性のハンドバックの中にある場合に、長い時間かけて探さなくては見つからないことがよくあるという点で、面倒であることがわかっている。
【先行技術文献】
【特許文献】
【０００４】
【特許文献１】ドイツ実用新案第２０２００７０１１３５７号
【発明の概要】
【発明が解決しようとする課題】
【０００５】
本発明は、上記のような欠点をもたない照明装置を提供することを課題とする。
【課題を解決するための手段】
【０００６】
上記課題を解決する本発明の照明装置では、センサユニットが、開閉可能なオブジェクトが開いているか閉じているかを少なくとも検出する第２のセンサ手段を有し、さらに、制御ユニットは、電気エネルギー貯蔵装置により第１の光源及び／または第２の光源に電気エネルギーが供給可能な状態であるスイッチ閉状態へ、スイッチ開状態から移行可能であるか、または移行される。
【０００７】
これによって、オブジェクトが開いているときにも照明装置が点灯されることが確保される。第１の光源は、ユーザがオブジェクトに近づくか、またはそれに触れると、すぐに点灯される。これにより、オブジェクトとその周辺が照らされて、見えるようになる。オブジェクトがハンドバッグの中にあって、ユーザがそのバッグの中のものを何か探す場合に、そのように探していること、特にそれに伴うモーションが検出されることで、第１の光源にエネルギーが供給される。これによって、開閉可能なオブジェクトそれ自体とその周辺の物品の両方が容易に認識可能になる。
【０００８】
そして、開閉可能なオブジェクトをユーザが開くと、第１の光源及び／または第２の光源に電気エネルギーが供給される。これによって、ユーザは、開閉可能なオブジェクトの中身を認識することが可能である。オブジェクト内にミラーが配置されている場合、ユーザは、暗いときであっても、自分の姿を第１及び／または第２の光源によって認識することが可能である。
【０００９】
開閉可能なオブジェクトは、２つのドーム形筐体部品で形成することができ、ジョイントによって折り畳み式に開閉することが可能である。
【００１０】
第２のセンサ手段は、基本的にどのような構成とすることもでき、それには、例えば、開閉可能オブジェクトが開くと切り離され、開閉可能オブジェクトが閉じると再び閉じられるタッチコンタクトが含まれる。しかし、センサユニットの第２のセンサ手段は、トリガスイッチ、及び／またはホールセンサ、及び／またはリード接点を含むものであると効果的である。このようにして、開閉可能オブジェクトの開閉が、センサユニットにより容易に検出される。
【００１１】
センサユニットの第１のセンサ手段は、基本的に、ユーザによるアプローチまたはタッチが検出されるどのような構成とすることもできると考えられる。しかし、センサユニットの第１のセンサ手段は、明るさの変化も検出することができるように、具体的には明るさセンサを含むように構成されていると効果的である。これにより、照明装置が、例えば女性のハンドバッグの中にあるときに、バッグが開けられたことと、それに伴うバック内部の明るさの変化とが検出された場合にのみ、点灯される。これによって、電気エネルギー貯蔵装置にあるエネルギーを、より効率的に使用することが可能である。
【００１２】
この最後の発明の着想を更に発展させて、制御ユニットは、センサユニットのセンサ手段が、照度が１００ルクス未満、好ましくは８０ルクス未満、好ましくは５０ルクス未満、好ましくは４０ルクス未満に低下したことを検出した場合、第１のスイッチングユニットを開放すると効果的である。これによって、ユーザは、上記の明るさの値より低い明るさが顕著である場合にのみ、照明装置による支援を受けることが確実になる。こうして、エネルギー貯蔵装置にある電気エネルギーのより効率的な使用が可能となる。
【００１３】
本発明の更なる実施形態では、センサユニットの第１のセンサ手段は、第１の光源と機能的に関連していて、センサユニットの第２のセンサ手段は、第２の光源と機能的に関連していて、また、制御ユニットは、第２のスイッチングユニットをスイッチ開状態からスイッチ閉状態に移行させたときに、第１のスイッチングユニットをスイッチ閉状態からスイッチ開状態に移行させるように、構成されている。
【００１４】
開閉可能なオブジェクトの第１の光源は、オブジェクトの表面上に、または表面を通して外側に見えるように配置される。一方、第２の光源は、オブジェクトが開かれたときに、その開閉可能オブジェクトの中身を照らすように、開閉可能オブジェクト内に配置される。そのとき、ユーザは、第１光源からの光はもはや使用しない。第２の光源にエネルギーが供給されるときに、第１の光源が自動的にオフにされることによって、電気エネルギー貯蔵装置に蓄えられているエネルギーをさらに効率的に活用することが可能である。
【００１５】
さらに、センサユニットの第２のセンサ手段は、明るさセンサを含み、制御ユニットは、明るさセンサが１００ルクス超の照度、好ましくは８０ルクス超の照度、好ましくは５０ルクス超の照度、好ましくは４０ルクス超の照度を検出した場合に、第２のスイッチングユニットをスイッチ閉状態からスイッチ開状態に移行させるように構成されていると効果的であることがわかっている。このように、開閉可能オブジェクトの中身を追加の照明なしで認識するために明るさが十分であることが、センサユニットの第２のセンサ手段により検出されたときには、エネルギーが節約される。
【００１６】
本発明を更に発展させて、センサユニットの第１のセンサ手段は、オブジェクトの範囲内のモーションまたはスイッチ装置のタッチを検出するためのパイロセンサ及び／または静電容量センサ及び／または超音波センサとされる。このようにして、オブジェクトは、ユーザが積極的にそれにかかわったとき、例えばその開閉可能オブジェクトがバッグの中にある場合であれば、ユーザがバッグの中のものを何か探しているときに、点灯を開始する。
【００１７】
制御ユニットは、開閉可能オブジェクトが開かれていることがセンサユニットの第２のセンサ手段により検出された後に、５〜６０秒で、特に１０〜４０秒で、特に１０〜３０秒で、第２のスイッチングユニットをスイッチ閉状態からスイッチ開状態に戻すように構成され、さらに／または、制御ユニットは、最後のモーションがセンサユニットの第１のセンサ手段により検出された後に、５〜６０秒で、特に１０〜４０秒で、特に１０〜３０秒で、第１のスイッチングユニットをスイッチ閉状態からスイッチ開状態に戻すように構成されていると、効果的であることがわかっている。このようにして、第２の光源が自動的にオフされるまでの時間を調整することが可能である。これは、例えば、ユーザが、開閉可能オブジェクトをその使用後に閉じ忘れたときなどに効果的である。
【００１８】
また、第１の光源及び／または第２の光源は、白熱電球、ＬＥＤ、及び／または発光フィルムを含み、特に、白熱電球、ＬＥＤ、及び／または発光フィルムを複数含むと効果的であることがわかっている。
【００１９】
効果的には、ＬＥＤまたはＬＥＤのセット全体の全出力は、２００ｍＷから３００ｍＷまでの範囲である。この場合、個々のＬＥＤの光度は、６００ｍｃｄから２２００ｍｃｄ（ミリカンデラ）である。
【００２０】
また、照明装置は、制御ユニットにより作動可能な調光器を備えると効果的であることがわかっていて、それは、第１の光源及び／または第２の光源へのエネルギー供給を、急激に、または連続的に、特に１秒から９０秒の範囲内で、特に１０秒から６０秒の範囲内で、ゼロまで下げることができるものである。
【００２１】
開閉可能オブジェクトは、透明及び／または半透明及び／または不透明の材料を含み、また、第１の光源及び／または第２の光源は、開閉可能オブジェクトの材料の中に配置されて、好ましくはそれにより取り囲まれていると、特に見た目に魅力的である。
【００２２】
さらに、課題は、本発明に係る照明装置により解決され、この照明装置において、センサユニットの第１のセンサ手段は静電容量センサを含んでいる。
【００２３】
照明装置は、さらに、少なくとも１つの情報を表示するための表示要素を備えることができ、さらに／または、第１の光源及び／または第２の光源が、少なくとも１つの情報を表示するための表示要素を形成することができる。これによって、照明装置の有用性が向上する。
【００２４】
この最後に記載した発明の着想を更に発展させて、第１のスイッチングユニット及び／または第２のスイッチングユニットを介して表示要素を電気エネルギー貯蔵装置に接続することが可能であり、さらに／あるいは上記少なくとも１つの情報が、時刻、日付、及び／または信号、特にアラーム音信号を含んでいると、効果的であることがわかっている。
【００２５】
この場合、表示要素は、モーションが検出されたときに、または照明装置がタッチされたときに、作動される。情報が時刻、日付、及び／または信号を含む場合には、照明装置は時計として機能する。
【００２６】
さらに、表示要素は、音響的、視覚的、及び／または触覚的に知覚可能な情報の表示を含むことが考えられる。こうして、照明装置は、例えば、ラジオ装置、特にＭＰ３プレーヤである再生装置などとすることができる。
【００２７】
また、照明装置は、開閉可能オブジェクト内またはその上に配置可能であるか、配置されたデータ記憶装置を備え、そのデータ記憶装置に、インタフェースユニットを用いて、少なくとも１つのデータを転送及び／または保存可能であると、有用であることがわかっている。
【００２８】
そして最後に、開閉可能オブジェクトは、薬、支払手段、化粧品、及び／または他の物品など、少なくとも１つの物体を入れるためのコンテナ装置を形成するものであると、効果的であることがわかっている。
【発明の効果】
【００２９】
本発明による照明装置によると、例えばバッグの中にある場合に、容易に見つけることができ、また、その周囲のオブジェクトを見えるようにすることが可能である。
【００３０】
さらには、開閉可能オブジェクトの中身を認識することをかなり容易にしている。
【００３１】
また、この照明装置によって、開閉可能オブジェクトは、見た目に極めて魅力的に見える。
【図面の簡単な説明】
【００３２】
【図１】本発明による照明装置の説明図
【図２】本発明による照明装置を備える化粧小物の模式図
【発明を実施するための形態】
【００３３】
本発明の更なる特徴、詳細、効果は、請求項、図面、２つの実施形態から明らかになる。
【００３４】
図１は、その全体を参照符号２で示す照明装置の説明図である。
照明装置２は、開閉可能なオブジェクト４内に配置されていて、図１に示す実施形態では、第１の光源６と第２の光源８とを備えている。第１の光源６と第２の光源８には、電気エネルギー貯蔵装置１０によって電気エネルギーを供給することができる。第１の光源６と第２の光源８と電気エネルギー貯蔵装置１２との間には、スイッチ装置１２が機能的に介在していて、このスイッチ装置は、センサユニット１４を統合した制御ユニット１６を有し、これによって、センサユニット１４の第１のセンサ手段１８がタッチされたとき、及び／またはセンサユニット１４の第１のセンサ手段１８がモーションを検出したときに、第１のスイッチングユニット２０は、電気エネルギー貯蔵装置１０により第１の光源６に電気エネルギーを供給可能な状態であるスイッチ閉状態へ、スイッチ開状態から移行されることが可能である。
また、センサユニット１４は、開閉可能なオブジェクト４が開いているか閉じているかを少なくとも検出する第２のセンサ手段２２を有する。開閉可能オブジェクト４が開いていることが第２のセンサ手段２２により検出されると、制御ユニット１６は、エネルギー貯蔵装置１０により第１の光源６または第２の光源８に電気エネルギーが供給されるように、第２のスイッチングユニット２４を作動させる。
【００３５】
本発明に係る照明装置２の動作原理は以下での通りである。
【００３６】
ユーザが開閉可能オブジェクト４に近づくか、またはそれに触れると、これがセンサユニット１４の第１のセンサ手段１８によって検出される。この場合、制御ユニット１６が、スイッチングユニット２０をスイッチ閉状態に移行させるようにこれを作動させることで、第１の光源６に電気エネルギーが供給されて、これが点灯する。
【００３７】
開閉可能オブジェクト４が開かれると、これがセンサユニット１４の第２のセンサ手段２２によって検出される。この場合、第１の光源６及び／または第２の光源８にエネルギーが供給される。
【００３８】
図２は、化粧小物として構成された開閉可能オブジェクト４を示していて、この中に照明装置２が配置されている。
この化粧小物は、折り畳み式の化粧鏡とすることができる。図２では、これは上側の鏡像面に反射面２６を備えている。この面２６の周囲に、第２の光源（８）が配置されている。図２は、開いた状態の開閉可能オブジェクト４を示している。開閉可能オブジェクト４を形成する２つのドーム形部品２８、３０が、図示の実施形態では、互いに直角になっている。この場合、磁気スナップロックとして構成された第２のセンサ手段２２が切り離されることによって、第２の光源８に電気エネルギーが供給されて、これが開閉可能オブジェクト４の中身を照らす。このようにして発せられる光は、例えば、ユーザが反射面２６の中の自分の姿を見るときの助けとなる。
【００３９】
オブジェクト４が再び閉じられると、光源８へのエネルギー供給は再び遮断される。
【００４０】
明細書、請求項、図面で開示されている本発明の特徴は、発明を種々の実施形態で実現するための要件であり、個別でも、任意に組み合わせることも可能である。
【図１】
0005950469.tif 000002
【図２】
0005950469.tif 000003